(57)【要約】  転写ロールへの転写樹脂の堆積を防ぐことができるインプリント用モールドの製造方法を提供する。  本発明によれば、微細な凹凸パターンを有するパターン転移用モールド上に光又は熱硬化性の樹脂組成物を塗布する樹脂塗布工程と、前記樹脂組成物を円柱状の転写ロールの全周に渡って転移させると共に前記樹脂組成物を硬化させることによって、前記転写ロールの全周に渡って前記凹凸パターンの反転パターンを形成する転移工程とを備える、インプリント用モールドの製造方法が提供される。
2014080858.tif 000002
【特許請求の範囲】
【請求項１】
微細な凹凸パターンを有するパターン転移用モールド上に光又は熱硬化性の樹脂組成物を塗布する樹脂塗布工程と、
前記樹脂組成物を円柱状の転写ロールの全周に渡って転移させると共に前記樹脂組成物を硬化させることによって、前記転写ロールの全周に渡って前記凹凸パターンの反転パターンを形成する転移工程とを備える、インプリント用モールドの製造方法。
【請求項２】
前記樹脂組成物は、光硬化性樹脂であり、
前記転移工程では、前記樹脂組成物が前記転写ロールに接触している状態で前記樹脂組成物に対して光を照射することによって前記樹脂組成物を硬化させる、請求項１に記載の製造方法。
【請求項３】
前記樹脂塗布工程では、前記樹脂組成物は、ロール・トゥー・ロール形式で搬送されている搬送フィルム上に載置された前記パターン転移用モールド上に塗布され、
前記転移工程では、回転している前記転写ロールに向かって、前記樹脂組成物が塗布された前記パターン転移用モールドが搬送されることによって、前記転写ロールの全周に渡って前記反転パターンが形成される、請求項１又は２に記載の製造方法。
【請求項４】
前記転移工程の前に前記転写ロールに易接着処理を行う易接着処理工程をさらに備える、請求項１〜３の何れか１つに記載の製造方法。
【請求項５】
前記易接着処理は、前記転写ロールに易接着フィルムを巻き付ける処理である、請求項４に記載の製造方法。
【請求項６】
前記易接着フィルムは、両端の突合せ部に隙間が設けられるように巻き付けられ、前記隙間に前記樹脂組成物が充填される、請求項５に記載の製造方法。
【請求項７】
前記パターン転移用モールドは、樹脂フィルムモールドであり、その表面が剥離処理されている、請求項１〜６の何れか１つに記載の製造方法。
【請求項８】
前記樹脂組成物は、剥離性樹脂からなる、請求項１〜７の何れか１つに記載の製造方法。
【請求項９】
前記転移工程の後に、前記樹脂組成物の表面に対して剥離処理を行う、請求項１〜８の何れか１つに記載の製造方法。
【請求項１０】
前記転移工程中に、前記樹脂組成物の先端近傍または前記パターン転移用モールドの終端部に遮蔽材を設ける、請求項１〜９の何れか１つに記載の製造方法。
【発明の詳細な説明】
【技術分野】
【０００１】
本発明は、インプリント用モールドの製造方法
【背景技術】
【０００２】
インプリント技術とは、所望とする微細な凹凸パターンの反転パターンを有するモールドを、基板上の液状樹脂等の転写材料へ押し付け、これによりモールドの反転パターンを転写材料に転写する微細加工技術である。微細な凹凸パターンの反転パターンとしては、１０ｎｍレベルのナノスケールのものから、１００μｍ程度のものまで存在し、半導体材料、光学材料、記憶メディア、マイクロマシン、バイオ、環境等、様々な分野で用いられている。【０００３】
転写材料への反転パターンの転写方法としては、フィルムモールドを転写ロールに巻き付けてロール状のインプリント用モールドを作成し、ロール・トゥー・ロールにより転写材料へ反転パターンを連続転写する方法がある。【０００４】
フィルムモールドからロール状のインプリント用モールドを作成するには、フィルムモールドの両端を接合することが必要である。フィルムモールドの接合方法としては、特許文献１には、突き合わされた樹脂フィルムの端部を一対のヒーターで挟み込み、このヒーターで加圧融着する技術や、接合する樹脂フィルムの端部を重ね合わせた状態に配置し、この状態から該当する部分を加圧融着する技術が開示されている。
【先行技術文献】
【特許文献】
【０００５】
【特許文献１】ＷＯ２０１１／０４９０９７号
【発明の概要】
【発明が解決しようとする課題】
【０００６】
しかしながら、樹脂フィルムの端部を互いに突合せて加圧融着した場合には、接合部を十分に接合することができず、後に離反してしまうという問題や、接合部に転写樹脂が堆積していくという問題があった。【０００７】
一方、接合すべき樹脂フィルムの端部間を一部重ね合わせた状態にしてから、該当する部分を加圧融着した場合には、両者の接合性は向上するものの、接合部に段差が生じ、この段差に転写樹脂が堆積していくという問題があった。【０００８】
本発明は、このような実情に鑑みてなされたものであり、転写ロールへの転写樹脂の堆積を防ぐことができるインプリント用モールドの製造方法を提供するものである。
【課題を解決するための手段】
【０００９】
本発明によれば、微細な凹凸パターンを有するパターン転移用モールド上に光又は熱硬化性の樹脂組成物を塗布する樹脂塗布工程と、
前記樹脂組成物を円柱状の転写ロールの全周に渡って転移させると共に前記樹脂組成物を硬化させることによって、前記転写ロールの全周に渡って前記凹凸パターンの反転パターンを形成する転移工程とを備える、インプリント用モールドの製造方法が提供される。【００１０】
この方法では、モールド上に塗布した樹脂組成物を転写ロールの全周に渡って転移させると共に硬化させるので、転写ロールの全周に渡って切れ目がなく、従って、転写樹脂の堆積を防ぐことができる
インプリント用モールドが得られる。【００１１】
以下、本発明の種々の実施形態を例示する。以下に示す実施形態は、互いに組み合わせ可能である。
好ましくは、前記樹脂組成物は、光硬化性樹脂であり、前記転移工程では、前記樹脂組成物が前記転写ロールに接触している状態で前記樹脂組成物に対して光を照射することによって前記樹脂組成物を硬化させる。
好ましくは、前記樹脂塗布工程では、前記樹脂組成物は、ロール・トゥー・ロール形式で搬送されている搬送フィルム上に載置された前記パターン転移用モールド上に塗布され、前記転移工程では、回転している前記転写ロールに向かって、前記樹脂組成物が塗布された前記パターン転移用モールドが搬送されることによって、前記転写ロールの全周に渡って前記反転パターンが形成される。
好ましくは、前記転移工程の前に前記転写ロールに易接着処理を行う易接着処理工程をさらに備える。
好ましくは、前記易接着処理は、前記転写ロールに易接着フィルムを巻き付ける処理である。
好ましくは、前記易接着フィルムは、両端の突合せ部に隙間が設けられるように巻き付けられ、前記隙間に前記樹脂組成物が充填される。
好ましくは、前記パターン転移用モールドは、樹脂フィルムモールドであり、その表面が剥離処理されている。
好ましくは、前記樹脂組成物は、剥離性樹脂からなる。
好ましくは、前記転移工程の後に、前記樹脂組成物の表面に対して剥離処理を行う。
好ましくは、前記転移工程中に、前記樹脂組成物の先端近傍または前記パターン転移用モールドの終端部に遮蔽材を設ける。
【図面の簡単な説明】
【００１２】
【図１】本発明の一実施形態において、転写ロールに易接着フィルムを巻き付ける工程を示す断面図である。
【図２】図１の続きで、易接着フィルムを転写ロールに巻き付けた後の状態を示す断面図である。
【図３】図２中の領域Ａの拡大図である。
【図４】本発明の一実施形態で使用されるパターン転移用モールドの構成を示す断面図である。
【図５】図４のパターン転移用モールドを搬送フィルムに貼り付けた状態を示す断面図である。
【図６】図５の続きで、パターン転移用モールドに樹脂組成物を塗布する工程を示す断面図である。
【図７】図６中の領域Ｂの拡大図である。
【図８】図６の続きで、反転パターンを有する樹脂組成物が転写ロールに転移されている状態を示す断面図である。
【図９】図８中の領域Ｃの拡大図である。
【図１０】図８中の領域Ｄの拡大図である。
【図１１】図８の続きで、転写ロールの全周に渡って、反転パターンを有する樹脂組成物が転移された後の状態を示す断面図である。
【図１２】図１１中の領域Ａの拡大図である。
【発明を実施するための形態】
【００１３】
以下、図面を参照しながら本発明の好ましい実施の形態について具体的に説明する。
【００１４】
図１〜図１２を用いて、本発明の一実施形態のインプリント用モールドの製造方法について説明する。本実施形態のインプリント用モールドの製造方法は、微細な凹凸パターン３を有するパターン転移用モールド２上に光又は熱硬化性の樹脂組成物２５を塗布する樹脂塗布工程と、樹脂組成物２５を円柱状の転写ロール１２の全周に渡って転移させると共に樹脂組成物２５を硬化させることによって、転写ロール１２の全周に渡って凹凸パターン３の反転パターン３ａを形成する転移工程とを備える。
【００１５】
この方法を実施するための装置は、特に限定されないが、例えば、図１に示すような、転写材料へ凹凸パターンをインプリントするためのインプリント装置を用いて実施可能である。転写ロール１２と、転写ロール１２の上流側に配置され且つ転写ロール１２との間に搬送フィルムＦを挟み込む上流側ロール１４と、転写ロールの下流側に配置された下流側ロール１６とを備える。上流側ロール１４のさらに上流には搬送フィルムＦを送り出す送り出しロール（図示せず）が配置され、下流側ロール１６のさらに下流には搬送フィルムＦを巻き取る巻き取りロール（図示せず）が配置されている。従って、搬送フィルムＦは、ロール・トゥー・ロールで搬送される。また、送り出しロールと上流側ロール１４との間には搬送フィルムＦ上に光硬化樹脂などの転写材料を塗布するためのコーター（例：ダイコーター）１８が設置されており、転写ロール１２の下方には転写材料を硬化させるための光照射器（例：ＵＶライト）２０が設けられている。
以下、各工程について詳細に説明する。
【００１６】
１．易接着処理工程
最初に、転写ロール１２に易接着処理を行う易接着処理工程を備えることが好ましい。易接着処理とは、後述する転移工程で樹脂組成物２５が転写ロール１２に転移しやすくすべく、転写ロール１２と樹脂組成物２５の間の親和性を高めるための処理である。この工程の実施方法は、特に限定されないが、転写ロール１２に易接着フィルム４を巻き付けることによって実施することが好ましい。易接着フィルム４は、樹脂組成物２５との親和性が高いものであればよく、例えば、ポリエチレンテレフタレート、ポリカーボネート、ポリエステル、ポリオレフィン、ポリイミド、ポリサルフォン、ポリエーテルサルフォン、環状ポリオレフィンおよびポリエチレンナフタレートからなる群から選ばれる１種からなるフィルムの少なくとも片面に易接着層が形成されたものである。易接着層は、アクリル樹脂、ウレタン樹脂、ポリエステル樹脂、およびこれら樹脂の混合物から形成される。また、易接着層には、架橋剤やシランカップリング剤を含有させることができる。架橋剤としては、イソシアネート化合物、エポキシ化合物、オキサゾリン化合物、メラミン化合物が挙げられる。
易接着フィルム４の長さは、易接着フィルム４を巻き付ける転写ロール１２の外周長と同程度であってもよいが、僅かに短くすることが好ましい。この場合、易接着フィルム４を転写ロール１２に巻き付けた状態で、易接着フィルム４の両端の突合せ部の間に自然に隙間Ｇが形成され、この隙間Ｇに樹脂組成物２５を充填することによって、易接着フィルム４の両端の突合せ部を強固に接合することができる。
【００１７】
ここで、易接着フィルム４の巻き付け方法の一例を図１〜図３を用いて説明する。
【００１８】
まず、易接着フィルム４の一面にセパレータ１０付き両面粘着テープ８の一面を貼り付ける。両面粘着テープ８は、易接着フィルム４を転写ロール１２に貼り付けることができるものであれば、その構成は特に限定されないが、易接着フィルム４に貼り付ける面（以下、「フィルム貼着面」）の粘着力が、転写ロール１２に貼り付ける面（以下、「ロール貼着面））の粘着力よりも強い方が好ましく、ロール貼着面は、再剥離性であることが好ましい。両面粘着テープ８を介して易接着フィルム４を転写ロール１２に貼り付け、後述する反転パターンを形成した後にインプリント用モールドとして使用した後は、両面粘着テープ８と易接着フィルム４は、一緒に剥離されて廃棄される。従って、両面粘着テープ８のフィルム貼着面は、両面粘着テープ８と易接着フィルム４のズレを防ぐために、粘着力はできるだけ強いことが好ましく、一方、両面粘着テープ８のロール貼着面は、使用後の転写ロール１２からの剥離を容易にすべく、使用上問題がない程度の粘着力を有しつつ再剥離性を有することが好ましい。
【００１９】
また、両面粘着テープ８と易接着フィルム４の巻き付け方向の端部の位置は、一致していてもよいが、ずれていることが好ましい。この場合、両面粘着テープ８を介して易接着フィルム４を転写ロール１２に巻き付けた際に、両面粘着テープ８の両端の突合せ部と、易接着フィルム４の両端の突合せ部の位置がずれるので、易接着フィルム４の両端の突合せ部に充填した樹脂組成物２５は、両面粘着テープ８の突合せ部以外の部分に充填されることになり、樹脂組成物２５が転写ロール１２に付着することを防ぐことができる。
【００２０】
両面粘着テープ８の長さは、転写ロール１２の外周長と実質的に等しくすることが好ましい。この場合、両面粘着テープ８が転写ロール１２の全周に渡って隙間なく貼着されるからである。従って、易接着フィルム４の長さを転写ロール１２の外周長より若干短くしている場合には、両面粘着テープ８は易接着フィルム４よりも若干長くなる。
【００２１】
セパレータ１０は、両面粘着テープ８のロール貼着面の粘着層を保護し、転写ロール１２への巻き付け時に容易に剥離可能なものであれば、その構成は特に限定されない。
【００２２】
次に、セパレータ１０付きの両面粘着テープ８が貼着された易接着フィルム４を図１に示すように、転写ロール１２の接線上に配置し、矢印Ｙの方向にセパレータ１０を引き剥がしながら、両面粘着テープ８付き易接着フィルム４を搬送フィルムＦと転写ロール１２の間に挿入する。この際、各ロールは、それぞれのロールに示す矢印の方向で回転しており、上流側ロール１４によって両面粘着テープ８付き易接着フィルム４が転写ロール１２に押し付けられて、両面粘着テープ８のロール貼着面が転写ロール１２に貼り付けられる。
【００２３】
このまま、各ロールを回転させると、両面粘着テープ８付き易接着フィルム４の全体が転写ロール１２に巻き付けられ、図２〜図３に示す構成が得られる。図３は、図２中の領域Ａの拡大図である。
【００２４】
図３に示すように、両面粘着テープ８は、転写ロール１２の全周に貼り付いて、両端の突合せ部８ａには実質的に隙間がない状態になっている。但し、若干隙間が空いていても問題ない。易接着フィルム４の両端の突合せ部には、好ましくは、隙間Ｇが存在している。隙間Ｇの長さ（ロールの円周方向の長さを「長さ」と称し、ロールの回転軸方向の長さを「幅」と称する。）は、特に限定されないが、例えば０．１〜２ｍｍであり、好ましくは、０．２〜１ｍｍである。隙間Ｇが存在することによって後工程で樹脂組成物２５が隙間Ｇに流れ込んで易接着フィルム４の両端が強固に結合されるからである。
【００２５】
易接着処理工程は、樹脂塗布工程の前に行なってもよく、樹脂塗布工程と転移工程の間に行なってもよい。
【００２６】
２．樹脂塗布工程
この工程では、微細な凹凸パターン３を有するパターン転移用モールド２上に光又は熱硬化性の樹脂組成物２５を塗布する。
【００２７】
以下、この工程の実施方法の一例を図４〜図７を用いて説明する。
パターン転移用モールド２は、公知のインプリント技術により形成可能であり、一例では、図４に示すようにフレキシブルな樹脂基材５上に、所望とする微細な凹凸パターン３を有する樹脂層６を備える。
【００２８】
樹脂基材５は、具体的には例えば、ポリエチレンテレフタレート、ポリカーボネート、ポリエステル、ポリオレフィン、ポリイミド、ポリサルフォン、ポリエーテルサルフォン、環状ポリオレフィンおよびポリエチレンナフタレートからなる群から選ばれる１種からなるものである。樹脂基材５の厚さは、通常６〜１８８μｍ、好ましくは、１２〜１００μｍである。このような厚さとすれば、後述する転写工程の際に転写ロール１２の幅方向に均一の圧力を付与しやすくなり、その結果、樹脂組成物２５を均一に転写ロール１２に転移できるためである。
【００２９】
樹脂層６を形成する樹脂は、熱可塑性樹脂、熱硬化性樹脂または光硬化性樹脂の何れであってもよい。樹脂としては、アクリル系樹脂、スチレン系樹脂、オレフィン系樹脂、ポリカーボネート樹脂、ポリエステル系樹脂、エポキシ樹脂、シリコーン系樹脂等が挙げられる。
【００３０】
上記した樹脂層６の厚さは、通常５０ｎｍ〜１ｍｍ、好ましくは、５００ｎｍ〜５００μｍである。このような厚さとすれば、インプリント加工が行い易い。
【００３１】
樹脂層６を形成する樹脂が熱可塑性樹脂である場合は、樹脂層６をガラス転移温度（Ｔｇ）以上の温度に加熱した状態で、凹凸パターン形成用のモールドを０．５〜５０ＭＰａのプレス厚で１０〜６００秒間保持してプレスした後、樹脂層６をＴｇ以下の温度にまで冷却し、モールドを樹脂層６から引き離すことによって、樹脂層６に凹凸パターン３を形成することができる。一方、樹脂層６を形成する樹脂が光硬化性樹脂である場合は、液状の樹脂層６に凹凸パターン形成用のモールドを押し付けた状態で樹脂層６に対して硬化光（ＵＶ光、可視光、電子線などの樹脂を硬化可能なエネルギー線の総称）を照射することによって樹脂層６を硬化し、その後、モールドを引き離すことによって、樹脂層６に凹凸パターン３を形成することができる。光は、樹脂基材４側から照射してもよく、モールドが光に対して透明である場合には、モールド側から照射してもよい。また、樹脂層６を形成する樹脂が熱硬化性樹脂である場合は、液状の樹脂層６に凹凸パターン形成用のモールドを押し付けた状態で樹脂層６を硬化温度にまで加熱することによって樹脂層６を硬化し、その後、モールドを引き離すことによって、樹脂層６に凹凸パターン３を形成することができる。光は、樹脂基材４側から照射してもよく、モールドが光に対して透過性を有する場合には、モールド側から照射してもよい。
【００３２】
樹脂層６の表面形状（凹凸パターン３）に特に制限はないが、周期１０ｎｍ〜２ｍｍ、深さ１０ｎｍ〜５００μｍのものが好ましく、周期２０ｎｍ〜２０μｍ、深さ５０ｎｍ〜１μｍのものがより好ましい。このように設定すれば、転写体に充分な凹凸パターン３を転写することができる。表面形状としては、モスアイ、線、円柱、モノリス、円錐、多角錐、マイクロレンズが挙げられる。
【００３３】
樹脂層６の表面は、樹脂組成物２５との付着を防止するための剥離処理がされていてもよく、剥離処理は剥離層（図示せず）を形成するものであってもよい。剥離層（図示せず）を形成する離型剤としては、好ましくはフッ素系シランカップリング剤、アミノ基又はカルボキシル基を有するパーフルオロ化合物およびアミノ基又はカルボキシル基を有するパーフルオロエーテル化合物からなる群から選ばれる少なくとも１種からなり、より好ましくは、フッ素系シランカップリング剤、片末端アミン化パーフルオロ（パーフルオロエーテル）化合物ならびに片末端カルボキシル化パーフルオロ（パーフルオロエーテル）化合物の単体または単体および複合体の混合物からなる群から選ばれる少なくとも１種からなる。離型剤として上記のものを用いると、樹脂層６への密着が良好であるとともに、樹脂組成物２５との剥離性が良好である。剥離層（図示せず）の厚さは、好ましくは０．５〜２０ｎｍ、より好ましくは０．５〜１０ｎｍ、最も好ましくは０．５〜５ｎｍの範囲内である。なお、剥離層と樹脂層６の密着性を向上すべく、樹脂層６には、ＷＯ２０１２／０１８０４５に開示されているような、離型剤と結合可能な基を有する添加剤を添加してもよい。
また、樹脂層６を形成する樹脂として、ポリジメチルシロキサン（ＰＤＭＳ）などのシリコーン樹脂、アクリル系モノマーとシリコーン系モノマーとの共重合体、アクリル系モノマーとフッ素系モノマーとの共重合体、アクリル系ポリマーにシリコーン系モノマーとの混合物、アクリル系ポリマーとフッ素系モノマーとの混合物を用いる場合など、樹脂層６に剥離成分を含有させると、その後剥離層を形成させる工程を省略できる点で好ましい。
【００３４】
パターン転移用モールド２の長さは、転写ロール１２の外周長と同じか、これよりも若干長くすることが好ましい。この場合、パターン転移用モールド２上に塗布された樹脂組成物２５を転写ロール１２の全周に転移させることができるからである。
【００３５】
また、パターン転移用モールド２には、パターン転移用モールド２を搬送フィルムＦに貼着させるために両面粘着テープ９を貼着する。搬送フィルムＦは、樹脂基材５と同様の樹脂を用いることができるが、樹脂基材５とは異なる樹脂を用いてもよい。両面粘着テープ９は、パターン転移用モールド２を搬送フィルムＦに貼り付けることができる粘着剤層を有するものであれば、その構成は特に限定されない。粘着剤層は、アクリル系粘着剤組成物により構成されるのがコスト面、取り扱い面の観点から好ましい。アクリル系粘着剤組成物としては、特に限定されないが、たとえば、アクリル系ポリマーに架橋剤などの添加剤を配合したものが挙げられる。粘着剤層の厚さは、通常は５〜５０μｍの範囲である。  
【００３６】
このようなパターン転移用モールド２を図５に示すように、コーター１８の上流側において、搬送フィルムＦに貼り付ける。
【００３７】
その状態で各ロールを回転させて搬送フィルムＦを図５中の矢印Ｘの方向に搬送しながら、図６に示すようにコーター１８から樹脂組成物２５を吐出して、パターン転移用モールド２上に樹脂組成物２５を塗布する。図７に示すように、パターン転移用モールド２の表面には、凹凸パターン３が形成されているので、その上に塗布された樹脂組成物２５には、凹凸パターン３の反転パターン３ａが形成される。
【００３８】
樹脂組成物２５は、熱又は光硬化性樹脂である。樹脂としては、アクリル樹脂、エポキシ樹脂、シリコーン樹脂が挙げられる。熱又は光硬化性であれば、パターン形成後に容易に硬化させることができるので、取り扱いが容易である。
【００３９】
樹脂組成物２５は、剥離成分を含有している樹脂（以下、「剥離性樹脂」と略する）が好ましい。剥離性樹脂を用いれば、樹脂組成物２５に反転パターンを形成した後に剥離層を形成しなくても、転写材料への凹凸パターンのインプリント時に転写材料の付着を防ぐことができるからである。剥離性樹脂としては、ポリジメチルシロキサン（ＰＤＭＳ）などのシリコーン樹脂、アクリル系モノマーとシリコーン系モノマー（マクロモノマーを含む）との共重合体、アクリル系モノマーとフッ素系モノマー（マクロモノマーを含む）との共重合体、アクリル系ポリマーにシリコーン系モノマーとの混合物、アクリル系ポリマーとフッ素系モノマーとの混合物などが挙げられ、シリコーン樹脂、アクリル系モノマーとシリコーン系モノマー（マクロモノマーを含む）との共重合体が好ましい。これらの樹脂であれば、安価で容易に入手できるとともに、ロール・トゥー・ロールにより凹凸パターンの反転パターンが転写される転写材料に対して剥離性を充分に発揮することが可能である。
また、樹脂組成物２５が熱硬化性樹脂である場合には、樹脂基材５、樹脂層６を形成する樹脂、搬送フィルムＦおよび両面粘着テープ９を構成する粘着剤層には熱伝導性フィラーが含有していることが好ましい。熱伝導性フィラーが含有していることにより、より短時間で樹脂組成物２５を転写ロール１２に転移させることが可能になる。熱伝導性フィラーとしては、たとえば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化亜鉛、酸化アルミニウム、酸化チタン、結晶性シリカ、非結晶性シリカ、酸化チタン、酸化ニッケル、酸化鉄、酸化銅、窒化アルミニウム、窒化ケイ素、窒化ホウ素、窒化ガリウム、カーボンブラック、カーボンナノチューブ、カーボンファイバー、ダイヤモンドが挙げられる。
一方、樹脂組成物２５が光硬化性樹脂である場合には、樹脂基材５、樹脂層６を形成する樹脂、搬送フィルムＦおよび両面粘着テープ９を構成する粘着剤層は透明性が高いものを用いることが好ましい。具体的には、ＪＩＳ Ｋ７３６１による可視光波長領域における全光線透過率が８５％以上、好ましくは９０％以上、より好ましくは９２％以上であり、ＪＩＳ  Ｋ７１３６によるヘーズが３％以下、好ましくは１％以下である。透明性の高い樹脂基材５、樹脂層６を形成する樹脂、搬送フィルムＦおよび両面粘着テープ９を構成する粘着剤層を用いることにより、後述する光照射器２０よって樹脂組成物２５をより短時間に、より均一に硬化させることができる。
【００４０】
３．転移工程
この工程では、樹脂組成物２５を円柱状の転写ロール１２の全周に渡って転移させると共に樹脂組成物２５を硬化させることによって、転写ロール１２の全周に渡って凹凸パターン３の反転パターン３ａを形成する。
【００４１】
以下、この工程の実施方法の一例を図８〜図１２を用いて説明する。
上記工程で樹脂組成物２５をパターン転移用モールド２上に塗布した後、搬送フィルムＦの搬送を継続すると、図８に示すように、上流側ロール１４と転写ロール１２の間で、上流側ロール１４によって搬送フィルムＦが転写ロール１２の方向に押し付けられ、それによって、パターン転移用モールド２上の樹脂組成物２５が転写ロール１２に付着される。搬送フィルムＦがさらに搬送されると、パターン転移用モールド２は、転写ロール１２の下方に到達し、図９に示すように、その位置で光照射器２０によって樹脂組成物２５が硬化され、樹脂組成物２５上には、凹凸パターン３の反転パターン３ａが形成される。そして、搬送フィルムＦがさらに搬送されて、下流側ロール１４に到達すると、搬送フィルムＦは、より下流側に設けられた巻取りロール（図示せず）に引っ張られて図８の矢印Ｚの方向に移動するのに対し、転写ロール１２はそのまま回転方向に移動するので、搬送フィルムＦが転写ロール１２から分離される。この際に、硬化済みの樹脂組成物２５は、より親和性が高い方に接着されるので、転写ロール１２への易接着処理と、パターン転移用モールド２への剥離処理のうちの一方又は両方を予め行なって、樹脂組成物２５と転写ロール１２との親和性が、樹脂組成物２５とパターン転移用モールド２との親和性よりも高くなるようにしておく。このようにすることで、反転パターン３ａを有する樹脂組成物２５が、図１０に示すように、転写ロール１２に転移される。
【００４２】
また、この転移工程中に、転写ロール１２に転移された樹脂組成物２５の先端近傍またはパターン転移用モールド２の終端部には、転移後の樹脂組成物２５上に樹脂組成物がさらに転移されることを防ぐために、遮蔽材２７が設けられる。遮蔽材２７は、剥離性を有しており、硬化前の樹脂組成物２５が遮蔽材２７上に付着した状態で樹脂組成物２５が硬化された場合でも、この樹脂組成物２５を容易に除去することができる。遮蔽材２７としては、シリコーン樹脂、フッ素樹脂、アルキッド樹脂、長鎖アルキル化合物、およびワックスなどの剥離材のほかに、光透過の無いまたは少ない顔料、染料、これらの顔料、染料を含有するプラスチックフィルム類、ポリイミドフィルムのような紫外線透過を遮蔽するフィルム、アルミニウムなどを用いた金属膜などを用いる。さらに転移用モールド２の背面にニッケル薄膜を形成した遮光膜が利用可能である。
【００４３】
そして、樹脂組成物２５の転移をこのまま継続すると、最終的に、図１１に示すように、転写ロール１２の全周に渡って凹凸パターン３の反転パターン３ａが形成される。また、樹脂組成物２５は、易接着フィルム４の両端の突合せ部の隙間Ｇに入り込み、その状態で硬化されるため、易接着フィルム４の両端が強固に接合される。
【００４４】
なお、ここでは、樹脂組成物２５が光硬化性樹脂である場合を例に挙げて説明を行ったが、樹脂組成物２５は、熱硬化性樹脂であってもよい。その場合、転写ロール１２の下側には光照射器２０の代わりにヒーターを設置して、熱硬化性樹脂を適切に加熱硬化させて、転写ロール１２に転移させることが好ましい。
【００４５】
パターン３ａには、樹脂組成物２５が剥離性樹脂でない場合は、上述した剥離処理と同様の剥離処理を施すことが好ましい。
【００４６】
以上の工程により、転写ロール１２の全周に渡って途切れのない反転パターン３ａを有するインプリント用モールドが得られる。また、このインプリント用モールドは、従来技術のように外周の段差がないので、転写樹脂の堆積の問題が生じない。
【００４７】
このインプリント用モールドを用いれば、転写材料に連続的に凹凸パターンを形成することができる。具体的には、例えば、図１に示すインプリント装置の各ロールを回転させて搬送フィルムＦを搬送しながらコーター１８から転写材料（例：光硬化性樹脂）を吐出することによって、搬送フィルムＦ上に転写材料を塗布し、この転写材料に対して転写ロール１２に巻き付けられたシームレスのインプリント用モールドを押し付け、その状態で光照射器２０から、転写材料を硬化させる光を転写材料に対して照射することによって転写材料を硬化させて、転写材料に連続的に凹凸パターンを形成することができる。
【符号の説明】
【００４８】
２：パターン転移用モールド、３：凹凸パターン、３ａ：反転パターン、４：易接着フィルム、５：樹脂基材、６：樹脂層、８、９：両面粘着テープ、８ａ：両面粘着テープの両端の突合せ部、１０：セパレータ、１２：転写ロール、１４：上流側ロール、１６：下流側ロール、１８：コーター、２０：光照射器、２５：樹脂組成物、２７：遮蔽材、Ｆ：搬送フィルム、Ｇ：隙間
【図１】
2014080858.tif 000003
【図２】
2014080858.tif 000004
【図３】
2014080858.tif 000005
【図４】
2014080858.tif 000006
【図５】
2014080858.tif 000007
【図６】
2014080858.tif 000008
【図７】
2014080858.tif 000009
【図８】
2014080858.tif 000010
【図９】
2014080858.tif 000011
【図１０】
2014080858.tif 000012
【図１１】
2014080858.tif 000013
【図１２】
2014080858.tif 000014
【国際調査報告】
2014080858.tif 000015
2014080858.tif 000016
2014080858.tif 000017
2014080858.tif 000018